(57)【要約】      （修正有）【課題】施工が容易であり、コンクリート打設面の強度が均一な残存木製型枠パネルを提供する。【解決手段】残存木製型枠パネルは、地盤面から立設し、所定間隔で配列された支柱に固定され、四角形状に形成された板材１１を上下方向に重ねて形成され、板材は、上側又は下側に配置される上下側縁１１１，１１２において、支柱の配列方向に延びる横係合部１１０が形成され、ある板材における上側の横係合部１１２ａと、その板材の上に配置される板材における下側の横係合部１１１ａと、は互いに係合する。一方の横係合部は、支柱の配列方向に延びる溝であり、他方の横係合部は、支柱の配列方向に延び、溝と嵌合する突起であるのが好ましい。【選択図】図７
0003190104.tif 000002
【実用新案登録請求の範囲】
【請求項１】
地盤面から立設し、所定間隔で配列された支柱に固定され、四角形状に形成された板材を上下方向に重ねて形成した残存木製型枠パネルであって、
前記板材は、上側又は下側に配置される上下側縁において、前記支柱の配列方向に延びる横係合部が形成され、
ある前記板材における上側の前記上下側縁の前記横係合部と、ある前記板材の上に配置される前記板材における下側の前記上下側縁の前記横係合部と、は互いに係合する残存木製型枠パネル。
【請求項２】
上側又は下側の前記上下側縁の前記横係合部のうち、
一方の前記横係合部は、前記支柱の配列方向に延びる溝であり、
他方の前記横係合部は、前記支柱の配列方向に延び、前記溝と嵌合する突起である請求項１に記載の残存木製型枠パネル。
【請求項３】
上側又は下側の前記上下側縁の前記横係合部のうち、
一方の前記横係合部は、前記上下側縁の前面側において、前記支柱の配列方向に延びる前欠き込みであり、
他方の前記横係合部は、前記上下側縁の後面側において、前記支柱の配列方向に延び、前記前欠き込みと係合する後欠き込みである請求項１に記載の残存木製型枠パネル。
【考案の詳細な説明】
【技術分野】
【０００１】
本考案は、残存木製型枠パネルに関し、特に、四角形状に形成された板材を上下方向に重ねて形成した残存木製型枠パネルに関する。
【背景技術】
【０００２】
従来、コンクリート製の擁壁、砂防ダム等の構造物を施工する際の型枠として残存木製型枠が用いられている。この残存木製型枠は、地盤面から立設し所定間隔で配置された支柱と、支柱に固定される残存木製型枠パネルと、を備える。
【０００３】
このような残存木製型枠として、支柱部材と、支柱部材の一面に沿って連続して配置され、木質残存型枠の面を形成する複数の木質型枠材と、木質型枠材の間に挟まれるように配置される板状金具本体から突出する第一突起が木質型枠材に食い込むことにより木質型枠材の移動を規制する支持金具と、を備える木質残存型枠が提案されている（特許文献１参照）。
この特許文献１の木質残存型枠によれば、支持金具により、木質型枠材が相対移動するのを防止できる。
【先行技術文献】
【特許文献】
【０００４】
【特許文献１】特開２０１１−３８３４３号公報
【考案の概要】
【考案が解決しようとする課題】
【０００５】
しかしながら、特許文献１の木質残存型枠を施工する場合、支柱部材を設置した後、一段目の木質型枠材を設置し、支持金具を取り付けてから二段目の木質型枠材を設置する必要がある。このため、木質型枠材のみを順次配置する場合に比べ、支持金具を取り付ける工程が増え、施工が煩雑になっていた。
また、特許文献１の木質残存型枠は、複数の木質型枠材を支持金具で部分的に互いに連結することで、コンクリート打設時にコンクリートの圧力が掛かるコンクリート打設面を有する残存木製型枠パネルを形成する。このため、コンクリート打設面におけるコンクリートの圧力に対する強度が、支持金具で連結された部分と連結されていない部分とで異なり、支持金具で連結されていない部分がコンクリートの圧力により膨らむおそれがある。
【０００６】
本考案は、施工が容易であり、コンクリート打設面の強度が均一な残存木製型枠パネルを提供することを目的とする。
【課題を解決するための手段】
【０００７】
（１）  地盤面から立設し、所定間隔で配列された支柱に固定され、四角形状に形成された板材を上下方向に重ねて形成した残存木製型枠パネルであって、
前記板材は、上側又は下側に配置される上下側縁において、前記支柱の配列方向に延びる横係合部が形成され、
ある前記板材における上側の前記上下側縁の前記横係合部と、ある前記板材の上に配置される前記板材における下側の前記上下側縁の前記横係合部と、は互いに係合する残存木製型枠パネル。
【０００８】
（１）の構成によれば、残存木製型枠パネルは、地盤面から立設し、所定間隔で配列された支柱に固定され、四角形状に形成された板材を上下方向に重ねて形成されている。
板材は、上側又は下側に配置される上下側縁において、支柱の配列方向に延びる横係合部が形成されている。
ある板材における上側の上下側縁の横係合部と、ある板材の上に配置される板材における下側の上下側縁の横係合部と、は互いに係合する。
【０００９】
これにより、ある板材と他の板材及びある残存木製型枠パネルと他の残存木製型枠パネルは、互いを連結する金具等を取り付けることなく、一方の横係合部に他方の横係合部を係合させるだけで、互いを連結できる。
また、ある板材と他の板材及びある残存木製型枠パネルと他の残存木製型枠パネルは、互いに支柱の配列方向の全てにおいて互いに係合するので、複数の残存木製型枠パネルが連結された残存木製型枠において、コンクリート打設時にコンクリートの圧力が掛かるコンクリート打設面の強度を均一にできる。
したがって、施工が容易であり、コンクリート打設面の強度が均一な残存木製型枠パネルを提供できる。
【００１０】
（２）  上側又は下側の前記上下側縁の前記横係合部のうち、
一方の前記横係合部は、前記支柱の配列方向に延びる溝であり、
他方の前記横係合部は、前記支柱の配列方向に延び、前記溝と嵌合する突起である（１）に記載の残存木製型枠パネル。
【００１１】
（２）の構成によれば、上側又は下側の上下側縁の横係合部において、一方の横係合部は、支柱の配列方向に延びる溝である。また、他方の横係合部は、支柱の配列方向に延び、溝と嵌合する突起である。
【００１２】
このような残存木製型枠パネルは、工場において、ある板材の上に他の板材が配置され、例えば、ある板材の上側の上下側縁に形成された突起を、他の板材の下側の上下側縁に形成された溝に嵌合させることで形成される。
そして、このように工場で製作された残存木製型枠パネルは、残存木製型枠の施工現場に搬入され、ある残存木製型枠パネルの上に他の残存木製型枠パネルが配置され、ある残存木製型枠パネルの上側の側縁に形成された突起を、他の残存木製型枠パネルの下側の側縁に形成された溝に嵌合させる。
【００１３】
このように、ある板材と他の板材及びある残存木製型枠パネルと他の残存木製型枠パネルは、互いを連結する金具等を取り付けることなく、一方の溝に他方の突起を嵌合させるだけで、互いを連結できる。
よって、残存木製型枠パネルの製造及び残存木製型枠の施工が容易になる。
【００１４】
（３）  上側又は下側の前記上下側縁の前記横係合部のうち、
一方の前記横係合部は、前記上下側縁の前面側において、前記支柱の配列方向に延びる前欠き込みであり、
他方の前記横係合部は、前記上下側縁の後面側において、前記支柱の配列方向に延び、前記前欠き込みと係合する後欠き込みである（１）に記載の残存木製型枠パネル。
【００１５】
（３）の構成によれば、上側又は下側の上下側縁の横係合部において、一方の横係合部は、上下側縁の前面側において、支柱の配列方向に延びる前欠き込みである。また、他方の横係合部は、上下側縁の後面側において、支柱の配列方向に延び、前欠き込みと係合する後欠き込みである。
【００１６】
このような残存木製型枠パネルは、工場において、ある板材の上に他の板材が配置され、例えば、ある板材の上側の上下側縁に形成された後欠き込みと、他の板材の下側の上下側縁に形成された前欠き込みと、を係合させることで形成される。
そして、このように工場で製作された残存木製型枠パネルは、残存木製型枠の施工現場に搬入され、ある残存木製型枠パネルの上に他の残存木製型枠パネルが配置され、ある残存木製型枠パネルの上側の側縁に形成された後欠き込みと、他の残存木製型枠パネルの下側の側縁に形成された前欠き込みと、を係合させる。
【００１７】
このように、ある板材と他の板材及びある残存木製型枠パネルと他の残存木製型枠パネルは、互いを連結する金具等を取り付けることなく、一方の後欠き込みと、他方の前欠き込みと、を係合させるだけで、互いを連結できる。
よって、残存木製型枠パネルの製造及び残存木製型枠の施工が容易になる。
【考案の効果】
【００１８】
本考案によれば、施工が容易であり、コンクリート打設面の強度が均一な残存木製型枠パネルを提供できる。
【図面の簡単な説明】
【００１９】
【図１】本考案の一実施形態に係る残存木製型枠１を正面から視た図である。
【図２】前記実施形態に係る残存木製型枠パネル１０を正面から視た図である。
【図３】前記実施形態に係る残存木製型枠パネル１０を上方から視た図である。
【図４】前記実施形態に係る残存木製型枠パネル１０をコンクリート打設面から視た図である。
【図５】前記実施形態に係る残存木製型枠パネル１０を下方から視た図である。
【図６】前記実施形態に係る残存木製型枠パネル１０を側面から視た図である。
【図７】前記実施形態に係る板材１１を側面から視た図である。
【図８】前記実施形態の変形例に係る板材１１Ａを側面から視た図である。
【図９】前記実施形態に係る２枚の残存木製型枠パネル１０の左右側縁を上方から視た図である。
【図１０】前記実施形態の変形例に係る２枚の残存木製型枠パネル１０Ａの左右側縁を上方から視た図である。
【図１１】前記実施形態に係る残存木製型枠パネル１０の製造手順を説明する図である。
【図１２】前記実施形態に係る残存木製型枠パネル１０の製造手順を説明する図である。
【図１３】前記実施形態に係る残存木製型枠パネル１０の製造手順を説明する図である。
【考案を実施するための形態】
【００２０】
本考案の実施形態に係る残存木製型枠パネル１０の構成を図面に基づいて説明する。
図１は、本考案の一実施形態に係る残存木製型枠１を正面から視た図である。
残存木製型枠１は、地盤面ＧＬから立設し、所定間隔で配列された支柱２と、支柱２に固定され、左右方向及び上下方向に連設された複数の残存木製型枠パネル１０と、を備える。
残存木製型枠１は、図１に表れている正面の裏側の面であるコンクリート打設面側にコンクリートが打設される。
【００２１】
図２は、前記実施形態に係る残存木製型枠パネル１０を正面から視た図である。
図３は、前記実施形態に係る残存木製型枠パネル１０を上方から視た図である。
図４は、前記実施形態に係る残存木製型枠パネル１０をコンクリート打設面から視た図である。
図５は、前記実施形態に係る残存木製型枠パネル１０を下方から視た図である。
図６は、前記実施形態に係る残存木製型枠パネル１０を側面から視た図である。
残存木製型枠パネル１０は、四角形状に形成された板材１１を上下方向に重ねて形成されている。本実施形態において、残存木製型枠パネル１０は、板材１１を３枚重ねて形成されているが、これに限らず、残存木製型枠パネル１０の大きさや板材１１の大きさに応じて任意の枚数重ねることができる。
【００２２】
板材１１は、左右方向の幅が支柱２（図１参照）のスパンＳと同じ寸法で形成されている。
図７は、前記実施形態に係る２枚の板材１１を側面から視た図である。
板材１１は、残存木製型枠１（図１参照）が設置された状態において、上側又は下側に配置される上下側縁において、互いに係合し、支柱２（図１参照）の配列方向に延びる横係合部１１０が形成されている。
ある板材１１における上側の上下側縁の横係合部１１０と、ある板材１１の上に配置される板材１１における下側の上下側縁の横係合部１１０と、は互いに係合する。
【００２３】
また、板材１１は、上下側縁として、下側に配置される下側縁１１１及び上側に配置される上側縁１１２を有する。
下側縁１１１には、横係合部１１０として、支柱２（図１参照）の配列方向（図１中左右方向）に延びる溝１１１ａが形成されている。
上側縁１１２には、横係合部１１０として、支柱２（図１参照）の配列方向（図１中左右方向）に延び、溝１１１ａと嵌合する突起１１２ａが形成されている。
なお、本実施形態では、下側縁１１１に溝１１１ａを形成し、上側縁１１２に突起１１２ａを形成しているが、これに限らず、下側縁１１１に突起を形成し、上側縁１１２に溝を形成してもよい。
【００２４】
図８は、前記実施形態の変形例に係る板材１１Ａを側面から視た図である。
板材１１Ａは、図７に示す実施形態に係る板材１１とは横係合部の形状が異なる。
板材１１Ａは、下側縁１１１において、横係合部１１０Ａとして、前面側において、支柱２（図１参照）の配列方向（図１中左右方向）に延びる前欠き込み１１１ｂが形成されている。
また、板材１１Ａは、上側縁１１２において、横係合部１１０Ａとして、後面側において、支柱２（図１参照）の配列方向（図１中左右方向）に延び、前欠き込み１１１ｂと係合する後欠き込み１１２ｂが形成されている。
なお、本変形例では、下側縁１１１に前欠き込み１１１ｂを形成し、上側縁１１２に後欠き込み１１２ｂを形成しているが、これに限らず、下側縁１１１に後欠き込みを形成し、上側縁１１２に前欠き込みを形成してもよい。
【００２５】
図３及び図５に示すように、残存木製型枠パネル１０は、支柱２（図１参照）の配列方向（図１中左右方向）において左側又は右側に配置される左右側縁において、上下方向に延びる縦係合部１００が形成されている。
図９は、前記実施形態に係る２枚の残存木製型枠パネル１０の左右側縁を上方から視た図である。
縦係合部１００は、左右に隣接する他の残存木製型枠パネル１０の縦係合部１００と互いに係合する。
【００２６】
また、残存木製型枠パネル１０は、残存木製型枠１（図１参照）が設置された状態において、左右側縁として、支柱２（図１参照）の配列方向（図１、図２又は図４中左右方向）において左側に配置される左側縁１０１と右側に配置される右側縁１０２を有する。
図３に示すように、左側縁１０１の前面側には、縦係合部１００として、上下方向（図２中上下方向）に延びる前欠き込み１０１ａが形成されている。
右側縁１０２の後面側には、縦係合部１００として、上下方向（図４中上下方向）に延び、図９に示すように、他の残存木製型枠パネル１０の前欠き込み１０１ａと係合する後欠き込み１０２ａが形成されている。
なお、本実施形態では、左側縁１０１に前欠き込み１０１ａを形成し、右側縁１０２に後欠き込み１０２ａを形成しているが、これに限らず、左側縁１０１に後欠き込みを形成し、右側縁１０２に前欠き込みを形成してもよい。
【００２７】
図１０は、前記実施形態の変形例に係る２枚の残存木製型枠パネル１０Ａの左右側縁を上方から視た図である。
残存木製型枠パネル１０Ａは、図９に示す実施形態に係る残存木製型枠パネル１０とは縦係合部の形状が異なる。
残存木製型枠パネル１０Ａには、左側縁１０１において、縦係合部１００Ａとして、上下方向に延びる溝１０１ｂが形成されている。
また、残存木製型枠パネル１０Ａには、右側縁１０２において、縦係合部１００Ａとして、上下方向に延び、溝１０１ｂと嵌合する突起１０２ｂが形成されている。
なお、本変形例では、左側縁１０１に溝１０１ｂを形成し、右側縁１０２に突起１０２ｂを形成しているが、これに限らず、左側縁１０１に突起を形成し、右側縁１０２に溝を形成してもよい。
【００２８】
図４に示すように、残存木製型枠パネル１０は、コンクリート打設面１０３において、上下方向に延び、残存木製型枠パネル１０を構成する複数の板材１１に跨がるずれ止め溝１０３ａが所定間隔で複数形成されている。
ずれ止め溝１０３ａには、ずれ止め溝１０３ａの内形と略同一の外形で形成されたずれ止め材１３が挿入される。
ずれ止め材１３は、ずれ止め材１３を貫通し、板材１１に打ち込まれる複数の込栓１４により、板材１１に固定される。
これにより、複数の板材１１が相対的にずれるのを防止できる。
【００２９】
次に、残存木製型枠パネル１０の製造手順について説明する。
図１１から図１３は、前記実施形態に係る残存木製型枠パネル１０の製造手順を説明する図である。
製造者は、以下の手順により、工場等において、残存木製型枠パネル１０を製造する。まず、製造者は、図７に示すように、１枚目の板材１１の上に２枚目の板１１材を配置し、１枚目の板材１１の上側縁１１２に形成された突起１１２ａを、２枚目の板材１１の下側縁１１１に形成された溝１１１ａに嵌合させ、同様に２枚目の板材１１の上に３枚目の板材１１を重ねることで残存木製型枠パネル１０を形成し、図１１に示す状態とする。
【００３０】
次に、製造者は、図１２に示すように、コンクリート打設面１０３にずれ止め溝１０３ａを形成し、形成したずれ止め溝１０３ａにずれ止め材１３を嵌合させ、複数の込栓１４を打ち込み、図１３に示す状態とする。このとき、複数の込栓１４を、コンクリート打設面１０３に直交する方向に対して、交互に異なる方向に傾斜させて打ち込むことで、例えば、コンクリート打設時の振動により、ずれ止め溝１０３ａからずれ止め材１３が脱落するのを防止できる。
【００３１】
次に、製造者は、図１３に示す状態から、左側縁１０１に前欠き込み１０１ａ（図２参照）を形成し、右側縁１０２に後欠き込み１０２ａ（図４参照）を形成する。
【００３２】
次に、残存木製型枠１の施工者は、作業現場において、支柱２（図１参照）を設置した後、以下の手順で、残存木製型枠パネル１０を設置し、図１に示す状態とする。
施工者は、最下段において、残存木製型枠パネル１０を支柱２の配列方向に配置し、ある残存木製型枠パネル１０の前欠き込み１０１ａに、他の残存木製型枠パネル１０の後欠き込み１０２ａを係合させる。
そして、施工者は、最下段の残存木製型枠パネル１０に、次の段の残存木製型枠パネル１０を配置し、最下段の残存木製型枠パネル１０の上側縁１１２に形成された突起１１２ａを、次の段の残存木製型枠パネル１０の下側縁１１１に形成された溝１１１ａに嵌合させる。
【００３３】
このように本実施形態の残存木製型枠パネル１０によれば、ある板材１１と他の板材１１及びある残存木製型枠パネル１０と他の残存木製型枠パネル１０は、互いを連結する金具等を取り付けることなく、一方の溝１１１ａに他方の突起１１２ａを嵌合させるだけで、互いを連結できる。
【００３４】
また、ある板材１１と他の板材１１及びある残存木製型枠パネル１０と他の残存木製型枠パネル１０は、互いに支柱２の配列方向の全てにおいて互いに嵌合するので、複数の残存木製型枠パネル１０が連結された残存木製型枠１において、コンクリート打設時にコンクリートの圧力が掛かるコンクリート打設面１０３の強度を均一にできる。
【００３５】
また、本実施形態の変形例によれば、ある板材１１Ａと他の板材１１Ａ及びある残存木製型枠パネル１０と他の残存木製型枠パネル１０は、互いを連結する金具等を取り付けることなく、一方の後欠き込み１１２ｂと、に他方の前欠き込み１１１ｂと、を係合させるだけで、互いを連結できる。
したがって、施工が容易であり、コンクリート打設面１０３の強度が均一な残存木製型枠パネル１０を提供できる。
【００３６】
なお、本考案は前記実施形態に限定されるものではなく、本考案の目的を達成できる範囲での変形、改良等は本考案に含まれるものである。
【符号の説明】
【００３７】
１        残存木製型枠
２        支柱  １０      残存木製型枠パネル
１０Ａ    残存木製型枠パネル
１１，１１Ａ  板材
１３      ずれ止め材
１４      込栓
１００，１００Ａ  縦係合部
１０１    左側縁
１０１ａ  前欠き込み
１０１ｂ  溝
１０２    右側縁
１０２ａ  後欠き込み
１０２ｂ  突起
１０３  コンクリート打設面
１０３ａ  ずれ止め溝
１１０，１１０Ａ  横係合部
１１１    下側縁
１１１ａ  溝
１１１ｂ  前欠き込み
１１２    上側縁
１１２ａ  突起
１１２ｂ  後欠き込み
ＧＬ      地盤面
Ｓ        スパン
【図１】
0003190104.tif 000003
【図２】
0003190104.tif 000004
【図３】
0003190104.tif 000005
【図４】
0003190104.tif 000006
【図５】
0003190104.tif 000007
【図６】
0003190104.tif 000008
【図７】
0003190104.tif 000009
【図８】
0003190104.tif 000010
【図９】
0003190104.tif 000011
【図１０】
0003190104.tif 000012
【図１１】
0003190104.tif 000013
【図１２】
0003190104.tif 000014
【図１３】
0003190104.tif 000015